(57)【要約】    【課題】  リーダ及び／又はライタ本体のアンテナの出力を増大させることなく、リーダ及び／又はライタ本体とアンテナ部との距離を十分に離すことができ、１つのアンテナの通信範囲内に複数のＩＤタグが配置されている場合においても、特定のＩＤタグとだけ通信を行うことができるＩＤタグ用リーダ及び／又はライタを得る。    【解決手段】  リーダ／ライタ１側に、各ＩＤタグＩＴ１〜ＩＴｎに対応したアンテナユニットＡＵ１〜ＡＵｎをそれぞれ備え、通信を行おうとするＩＤタグに対応したアンテナユニットを選択して、目的のＩＤタグとの通信を行うようにすると共に、アンテナユニットＡＵ１〜ＡＵｎには変復調回路を含むアナログ回路部分であるアナログフロントエンド部ＦＥ１〜ＦＥｎを対応して備えるようにした。【選択図】  図１
2006172303.tif 000002
【特許請求の範囲】
【請求項１】
１つ以上のＩＤタグに対してデータの書き込み及び／又は読み出しを行うＩＤタグ用リーダ及び／又はライタにおいて、
前記ＩＤタグとのデータの送受信を行う１つ以上のアンテナと、
入力されたクロック信号に基づいて搬送波を生成し、該生成した搬送波と入力された送信データ信号とを所定の方法で変調して対応する前記アンテナから送信させると共に対応する該アンテナで受信した信号の復調を行う１つ以上のアナログフロントエンド部と、
すべての該アナログフロントエンド部に所定のクロック信号を出力すると共に、データ送信する所望のＩＤタグに対応するアナログフロントエンド部を選択して前記送信データ信号を出力し、該選択したアナログフロントエンド部で復調された前記データ送信したＩＤタグからの信号からデータを抽出する制御回路部と、
を備え、
前記制御回路部は、すべての前記アナログフロントエンド部とデジタル信号でデータの授受を行うことを特徴とするＩＤタグ用リーダ及び／又はライタ。
【請求項２】
１つ以上のＩＤタグに対してデータの書き込み及び／又は読み出しを行うＩＤタグ用リーダ及び／又はライタにおいて、
前記ＩＤタグとのデータの送受信を行う１つ以上のアンテナと、
入力されたクロック信号に基づいて搬送波を生成し、該生成した搬送波と入力された送信データ信号とを所定の方法で変調して対応する前記アンテナから送信させると共に対応する該アンテナで受信した信号の復調を行う１つ以上のアナログフロントエンド部と、
すべての該アナログフロントエンド部に所定のクロック信号を出力すると共に、データ送信する所望のＩＤタグに対応するアナログフロントエンド部を選択して前記送信データ信号を出力し、該選択したアナログフロントエンド部で復調された前記データ送信したＩＤタグからの信号からデータを抽出する制御回路部と、
を備え、
前記アナログフロントエンド部は、１チップのＩＣに集積され、前記制御回路部は、すべての前記アナログフロントエンド部とデジタル信号でデータの授受を行うことを特徴とするＩＤタグ用リーダ及び／又はライタ。
【請求項３】
通信を行う前記ＩＤタグと同数の前記アンテナ及びアナログフロントエンド部を備えることを特徴とする請求項１又は２記載のＩＤタグ用リーダ及び／又はライタ。
【請求項４】
前記アンテナ及び該アンテナに対応するアナログフロントエンド部はアンテナユニットをなし、該アンテナユニットは、前記制御回路部と分離して配置されることを特徴とする請求項１、２又は３記載のＩＤタグ用リーダ及び／又はライタ。
【請求項５】
前記アンテナユニットは、対応するＩＤタグの近傍に配置されることを特徴とする請求項４記載のＩＤタグ用リーダ及び／又はライタ。
【請求項６】
前記アンテナユニットは、通信可能な範囲に複数のＩＤタグが配置されている場合、各ＩＤタグごとに異なる通信周波数を用いて通信を行うことを特徴とする請求項５記載のＩＤタグ用リーダ及び／又はライタ。
【請求項７】
前記アナログフロントエンド部は、対応する前記アンテナの近傍に配置されることを特徴とする請求項１、２、３、４、５又は６記載のＩＤタグ用リーダ及び／又はライタ。
【請求項８】
前記アナログフロントエンド部は、あらかじめ所定のアドレスが設定されたアドレス設定部を備え、前記制御回路部から入力されたアドレスデータが該アドレス設定部に設定されたアドレスと一致すると該制御回路部とデータの授受を行うことを特徴とする請求項１、２、３、４、５、６又は７記載のＩＤタグ用リーダ及び／又はライタ。
【請求項９】
前記アナログフロントエンド部は、前記制御回路部から入力されたアドレスデータが該アドレス設定部に設定されたアドレスと一致すると、前記制御回路部からデータ受信したコマンドに従って動作することを特徴とする請求項８記載のＩＤタグ用リーダ及び／又はライタ。
【請求項１０】
前記制御回路部は、所望の１つのアナログフロントエンド部を指定するアドレスデータを各アナログフロントエンド部にそれぞれ送信し、該指定したアナログフロントエンド部に対応するＩＤタグと通信を行うことを特徴とする請求項９記載のＩＤタグ用リーダ及び／又はライタ。
【請求項１１】
前記アナログフロントエンド部は、前記制御回路部からのクロック信号を基にして、前記対応するＩＤタグと無線通信を行うための周波数の異なる１つ以上の搬送波を生成する送信クロック生成部と、前記制御回路部から受信したコマンドに従って該送信クロック生成部の動作制御を行うＡＦＥ制御回路部とを備え、該送信クロック生成部は、ＡＦＥ制御回路部からの制御信号に応じて前記搬送波の中から１つを選択することを特徴とする請求項６記載のＩＤタグ用リーダ及び／又はライタ。
【請求項１２】
前記アナログフロントエンド部及び対応するアンテナは、一体になるように構成されること特徴とする請求項１、２、３、４、５、６、７、８、９、１０又は１１記載のＩＤタグ用リーダ及び／又はライタ。
【発明の詳細な説明】
【技術分野】
【０００１】
本発明は、ＩＤタグから情報を読み取り及び／又はＩＤタグに情報を書き込むためのＩＤタグ用リーダ及び／又はライタに関し、特に１台のＩＤタグ用リーダ及び／又はライタで、複数のＩＤタグと情報の受信及び／又は送信を行うことができるＩＤタグ用リーダ及び／又はライタに関する。
【背景技術】
【０００２】
近年、品物や部品を識別するための情報が格納されたＩＤタグと無線で情報の授受を行い、ＩＤタグが取り付けられた物品の情報を取得して該情報から物品の管理を行うシステムが利用されるようになってきた。例えば、複写機やプリンタ等の装置では、装置本体に、用紙サイズの異なる複数の給紙用カセットや各種のトナーカートリッジ等、様々なパーツが所定の取り付け部に取り付けられている。このような装置が正しく動作するためには、装置に取り付けられたパーツがその機種にとって間違いないものでなければならず、取り付けられたパーツの情報を確認する必要があった。このため、各パーツにＩＤタグを取り付け、ＩＤタグ用のリーダ／ライタでそのＩＤタグの情報を読み取ってパーツ情報の内容を確認していた。
【０００３】
各パーツは装置の様々な場所に取り付けられており、パーツに取り付けられているすべてのＩＤタグの情報を１台のリーダ／ライタで読み取らなければならなかった。１台のリーダ／ライタで複数のＩＤタグと通信を行い、データの授受を行う方式は幾つか知られている。その１つは、リーダ／ライタに１つのアンテナを設けて、すべてのＩＤタグと通信を行う方式である。この方式は、コリジョンが発生するため、アンチコリジョン処理を行わなくてはならなかった。アンチコリジョン処理は、通常、複数のＩＤタグのそれぞれにＩＤを割り振り、特定のＩＤタグを選択して通信するものである。しかし、このような方法では、すべてのＩＤタグが狭い範囲に密集している場合は良いが、複写機等では、ＩＤタグは散らばって配置されていることから、アンテナからの電波出力を大きくしないと通信ができなかった。また、パーツによっては金属部品に囲まれており、リーダ／ライタのアンテナからの電波を受信し難い場所に取り付けられている場合もあった。
【０００４】
もう１つの方式は、１台のリーダ／ライタに複数のアンテナを設け、切り換え装置で１つのアンテナだけを選択して、選択されたアンテナの近傍にあるＩＤタグとだけ通信を行うようにする方法である（例えば、特許文献１参照。）。この場合、例えばトレイの上に置かれた食器にＩＤタグが取り付けられており、トレイはトレイ搬送台に置かれている。トレイ搬送台の下には図７に示すようなアンテナが設置されている。該アンテナは複数のアンテナで構成されており、各アンテナは行順次走査回路から出力される複数のラインと、列順次走査回路から出力されている複数のラインにマトリックス状に接続されている。ＩＤタグとの通信は、ＩＤタグを取り付けた食器を載せたトレイを移動させる際に、各アンテナを順次活性化してＩＤタグの識別符号を認識させる。このとき、アンテナは、アンテナの受信有効範囲内に１個配置し、ＩＤタグは、該アンテナの受信有効範囲とほぼ同一、又はそれ以上の間隔でトレイに載置することにより、同一のタグ搬送波の周波数を用いても複数のタグを識別することが可能になる。
【０００５】
また、アンテナを複数設けた他の例として、アンテナ駆動回路と複数のアンテナとの間にアンテナ切替部を設け、各アンテナがアンテナ駆動回路の駆動時に順次選択されるように構成されているものがあった（例えば、特許文献２参照。）。
【特許文献１】特開平１０−２１３５１号公報
【特許文献２】特開２０００−３４１１７０号公報
【発明の開示】
【発明が解決しようとする課題】
【０００６】
しかし、リーダ／ライタの１つのアンテナですべてのＩＤタグと通信を行う方式は、前記したようにアンテナに大きな出力を与えないと通信ができないため効率が悪かった。更に、周囲を金属部品で囲まれて通信ができないＩＤタグが出てくる可能性もあり、複写機等に応用するには問題があった。
また、リーダ／ライタ本体のアンテナの通信範囲内に、複数のＩＤタグが配置されている場合、前記したようにコリジョンが発生するという問題があったことから、１つのアンテナの通信範囲内には１つのＩＤタグしか配置することができなかった。しかし、複写機等に応用する場合は、ＩＤタグを取り付けた部品が近接して配置される場合があることから、コリジョンに対する処理を行わなくてはならないという問題があった。
【０００７】
また、リーダ／ライタ本体とアンテナとの配線部には高周波のアナログ信号が流れていた。ＩＤタグとの通信周波数が高周波になるほど、配線部による減衰や周囲に放射するノイズによる影響から、リーダ／ライタ本体とアンテナとの間の距離を余り長くすることができないという制約があった。複写機内では、リーダ／ライタ本体とアンテナ部との距離が長くなるため、前記のようにアンテナだけを分離して切り替えて使用する方法では正常に通信を行うことができないという問題があった。
【０００８】
本発明は、上記のような問題を解決するためになされたものであり、リーダ及び／又はライタ本体のアンテナの出力を増大させることなく、リーダ及び／又はライタ本体とアンテナ部との距離を十分に離すことができ、１つのアンテナの通信範囲内に複数のＩＤタグが配置されている場合においても、特定のＩＤタグとだけ通信を行うことができるＩＤタグ用リーダ及び／又はライタを得ることを目的とする。
【課題を解決するための手段】
【０００９】
この発明に係るＩＤタグ用リーダ及び／又はライタは、１つ以上のＩＤタグに対してデータの書き込み及び／又は読み出しを行うＩＤタグ用リーダ及び／又はライタにおいて、
前記ＩＤタグとのデータの送受信を行う１つ以上のアンテナと、
入力されたクロック信号に基づいて搬送波を生成し、該生成した搬送波と入力された送信データ信号とを所定の方法で変調して対応する前記アンテナから送信させると共に対応する該アンテナで受信した信号の復調を行う１つ以上のアナログフロントエンド部と、
すべての該アナログフロントエンド部に所定のクロック信号を出力すると共に、データ送信する所望のＩＤタグに対応するアナログフロントエンド部を選択して前記送信データ信号を出力し、該選択したアナログフロントエンド部で復調された前記データ送信したＩＤタグからの信号からデータを抽出する制御回路部と、
を備え、
前記制御回路部は、すべての前記アナログフロントエンド部とデジタル信号でデータの授受を行うものである。
【００１０】
また、この発明に係るＩＤタグ用リーダ及び／又はライタは、１つ以上のＩＤタグに対してデータの書き込み及び／又は読み出しを行うＩＤタグ用リーダ及び／又はライタにおいて、
前記ＩＤタグとのデータの送受信を行う１つ以上のアンテナと、
入力されたクロック信号に基づいて搬送波を生成し、該生成した搬送波と入力された送信データ信号とを所定の方法で変調して対応する前記アンテナから送信させると共に対応する該アンテナで受信した信号の復調を行う１つ以上のアナログフロントエンド部と、
すべての該アナログフロントエンド部に所定のクロック信号を出力すると共に、データ送信する所望のＩＤタグに対応するアナログフロントエンド部を選択して前記送信データ信号を出力し、該選択したアナログフロントエンド部で復調された前記データ送信したＩＤタグからの信号からデータを抽出する制御回路部と、
を備え、
前記アナログフロントエンド部は、１チップのＩＣに集積され、前記制御回路部は、すべての前記アナログフロントエンド部とデジタル信号でデータの授受を行うものである。
【００１１】
具体的には、通信を行う前記ＩＤタグと同数の前記アンテナ及びアナログフロントエンド部を備えるようにした。
【００１２】
また、前記アンテナ及び該アンテナに対応するアナログフロントエンド部はアンテナユニットをなし、該アンテナユニットは、前記制御回路部と分離して配置されるようにした。
【００１３】
また、前記アンテナユニットは、対応するＩＤタグの近傍に配置されるようにした。
【００１４】
また、前記アンテナユニットは、通信可能な範囲に複数のＩＤタグが配置されている場合、各ＩＤタグごとに異なる通信周波数を用いて通信を行うようにした。
【００１５】
前記アナログフロントエンド部は、対応する前記アンテナの近傍に配置されるようにしてもよい。
【００１６】
また、前記アナログフロントエンド部は、あらかじめ所定のアドレスが設定されたアドレス設定部を備え、前記制御回路部から入力されたアドレスデータが該アドレス設定部に設定されたアドレスと一致すると該制御回路部とデータの授受を行うようにした。
【００１７】
また、前記アナログフロントエンド部は、前記制御回路部から入力されたアドレスデータが該アドレス設定部に設定されたアドレスと一致すると、前記制御回路部からデータ受信したコマンドに従って動作するようにした。
【００１８】
また、前記制御回路部は、所望の１つのアナログフロントエンド部を指定するアドレスデータを各アナログフロントエンド部にそれぞれ送信し、該指定したアナログフロントエンド部に対応するＩＤタグと通信を行うようにした。
【００１９】
具体的には、前記アナログフロントエンド部は、前記制御回路部からのクロック信号を基にして、前記対応するＩＤタグと無線通信を行うための周波数の異なる１つ以上の搬送波を生成する送信クロック生成部と、前記制御回路部から受信したコマンドに従って該送信クロック生成部の動作制御を行うＡＦＥ制御回路部とを備え、該送信クロック生成部は、ＡＦＥ制御回路部からの制御信号に応じて前記搬送波の中から１つを選択するようにした。
【００２０】
また、前記アナログフロントエンド部及び対応するアンテナは、一体になるように構成されるようにしてもよい。
【発明の効果】
【００２１】
本発明のＩＤタグ用リーダ及び／又はライタによれば、複数のＩＤタグごとに、アンテナ、及び変復調回路を含むアナログ回路部分であるアナログフロントエンド部からなるアンテナユニットをそれぞれ対応して備え、通信を行おうとするＩＤタグに対応したアンテナユニットを選択して、目的のＩＤタグとの通信を行うようにしたことから、制御回路部とはデジタル信号によってデータの授受を行うことができるようになり、制御回路部から離れた場所にアンテナユニットを配置しても、信号の減衰やノイズの放出を少なくすることができる。
【００２２】
また、アナログフロントエンド部に含まれる回路をすべて１チップの集積回路で構成したことから、安価で小型のアンテナユニットを構成することができ、アンテナユニットをより自由に配置することができる。更に、アナログフロントエンド部において、ＩＤタグと通信を行う搬送波の周波数を選択することができるため、複数の搬送波周波数のＩＤタグと通信を行うことができる。
【発明を実施するための最良の形態】
【００２３】
次に、図面に示す実施の形態に基づいて、本発明を詳細に説明する。
第１の実施の形態．
図１は、本発明の第１の実施の形態におけるＩＤタグ用リーダ／ライタの構成例を示した図である。
図１において、ＩＤタグ用リーダ／ライタ（以下、リーダ／ライタと呼ぶ）１は、所定の周波数のクロック信号ＣＬＫを生成して出力すると共に送信データ信号の出力及び受信データ信号の入力をそれぞれ行う制御回路部２と、アナログフロントエンド部ＦＥ１〜ＦＥｎ（ｎは、ｎ＞０の整数）と、アンテナＡＮＴａ１〜ＡＮＴａｎと、伝送路３とを備えている。
【００２４】
制御回路部２が１つのチップ又は複数の集積回路で形成された１つのユニットをなし、アナログフロントエンド部ＦＥ１〜ＦＥｎは、対応するアンテナＡＮＴａ１〜ＡＮＴａｎと共にそれぞれユニットを形成してアンテナユニットＡＵ１〜ＡＵｎをなしている。アナログフロントエンド部ＦＥ１〜ＦＥｎはすべて同じ回路構成をなし、アンテナユニットＡＵ１〜ＡＵｎにおいてもすべて同じ回路構成をなしていることから、以下、任意のアンテナユニットＡＵｍ（ｍ＝１〜ｎ）を例にして説明する。なお、アンテナユニットＡＵ１〜ＡＵｎはそれぞれアンテナユニット部をなし、伝送路３は信号伝送部をなす。
【００２５】
アンテナユニットＡＵｍは、データ入力端子ＴＸＤｍ、データ出力端子ＲＸＤｍ及びクロック入力端子ＣＫｍを備えている。データ入力端子ＴＸＤｍは、伝送路３の対応するシリアル信号線で制御回路部２のデータ出力端子に接続され、データ出力端子ＲＸＤｍは、伝送路３の対応するシリアル信号線で制御回路部２のデータ入力端子に接続され、クロック入力端子ＣＫｍは、伝送路３の対応するシリアル信号線で制御回路部２のクロック出力端子に接続されている。
アナログフロントエンド部ＦＥｍは、ＡＦＥ制御回路部Ａｍ、アドレス設定部Ｂｍ、送信クロック生成部Ｃｍ及び変復調回路部Ｄｍで構成されている。ＡＦＥ制御回路部Ａｍは、制御回路部２と伝送路３を介してデータの授受を行い、制御回路部２から受信したデータを解析してアナログフロントエンド部ＦＥｍの各部の制御を行い、制御回路部２から入力されたクロック信号ＣＬＫを送信クロック生成部Ｃｍに出力する。
【００２６】
アドレス設定部Ｂｍは、例えばｎ＝１６の場合、図２に示すように、アドレスを設定するための端子ＡＤ０〜ＡＤ３を備えており、各端子の２値のレベルによってアドレスを設定する。図２の場合、端子ＡＤ０と端子ＡＤ２を接地してローレベルにし、端子ＡＤ１と端子ＡＤ３は未接続のためハイレベルになる。この場合、アドレス設定部Ｂｍには、２進数で０１０１（１０進数で９）のアドレスが設定されていることになる。該設定されたアドレスは、ＡＦＥ制御回路部Ａｍに送られる。図２ではアドレス設定は４ビットで行っているので、１６個のアドレス設定が可能である。アドレス設定部Ｂｍの端子数は、通信を行うＩＤタグの数に合せて増減することができる。
【００２７】
送信クロック生成部Ｃｍは、ＡＦＥ制御回路部Ａｍから入力されたクロック信号ＣＬＫから、ＩＤタグと無線通信を行うための周波数の異なる複数の搬送波を生成し、ＡＦＥ制御回路部Ａｍから入力される制御信号に応じた搬送波を選択して出力する。ここで、送信クロック生成部Ｃｍは、図３に示すようにセレクタ２１と分周回路２２とで構成されている。セレクタ２１には、ＡＦＥ制御回路部Ａｍから入力されたクロック信号ＣＬＫと、クロック信号ＣＬＫを分周回路２２で分周して、１つ以上のより低い周波数に変換した周波数の信号が入力されている。セレクタ２１は、ＡＦＥ制御回路部Ａｍから入力される選択制御信号ＳＥに応じて、入力された各周波数の信号の中から１つの周波数の信号を選択して送信クロック信号ＣＣＫｍとして変復調回路部Ｄｍに出力する。
【００２８】
変復調回路部Ｄｍは、送信クロック生成部Ｃｍから入力された搬送波をなす送信クロック信号ＣＣＫｍとＡＦＥ制御回路部Ａｍから入力された送信用データ信号に対して所定の方法で変調してアンテナＡＮＴａｍに出力する。また、変復調回路部Ｄｍは、アンテナＡＮＴａｍから入力された受信信号に対しては所定の方法で復調してＡＦＥ制御回路部Ａｍに出力し、ＡＦＥ制御回路部Ａｍは、変復調回路部Ｄｍから入力されたデータ信号を、伝送路３を介して制御回路部２に出力する。
また、アンテナＡＮＴａｍとアナログフロントエンド部ＦＥｍは近接して配置されており、アンテナＡＮＴａｍとアナログフロントエンド部ＦＥｍを接続する配線を短くして、信号の減衰やノイズの放出を少なくしている。制御回路部２と各アンテナユニットＡＵ１〜ＡＵｎとは離間して配置されており、制御回路部２と各アナログフロントエンド部ＦＥ１〜ＦＥｎとの間は、デジタル信号でデータの授受を行っている。
【００２９】
一方、リーダ／ライタ１は、通信を行うＩＤタグと同じ数だけアンテナユニットを備えおり、アンテナユニットは、通信を行うＩＤタグの近傍に配置されている。図１では、アンテナユニットＡＵ１〜ＡＵｎに対応して、ＩＤタグＩＴ１〜ＩＴｎが設けられている場合を例にして示しているが、ＩＤタグＩＴ１〜ＩＴｎはすべて同じ構成をなしていることから、任意のＩＤタグＩＴｍを例にして説明する。
ＩＤタグＩＴｍは、アンテナＡＮＴｂｍと変復調回路部ＥＤｍとを備え、アンテナＡＮＴｂｍは変復調回路部ＥＤｍに接続されている。なお、ＩＤタグＩＴｍの内部構成及び動作は公知であり、詳細な構成及び動作の説明を省略する。
【００３０】
このような構成において、図４は、制御回路部２から各アナログフロントエンド部ＦＥ１〜ＦＥｎに送信されるデータファーマットを示した図である。図４において、データフォーマットは、先頭から順に、コマンド、アドレス、ＥＣＣデータ及び送信データで構成されている。
コマンドは８ビットで構成され、図５で示すような種類のコマンドがある。アドレスは８ビットで構成されており、制御回路部２に接続された各アナログフロントエンド部ＦＥ１〜ＦＥｎの中から、所望のアナログフロントエンド部を選択するために使用する。ＥＣＣデータは１６ビットで構成され、コマンドとアドレスのデータが正しく受信されたかどうかを確認するために送られる。例えば、ＥＣＣデータはコマンドコードとアドレスコードの順番を反転し、論理を反転させた構造のデータであり、送信データはＩＤタグに送信する情報である。
【００３１】
次に、図６は、アナログフロントエンド部の動作例を示したフローチャートであり、図６を用いてアナログフロントエンド部ＦＥｍの動作についてもう少し詳細に説明する。
図６において、アナログフロントエンド部ＦＥｍのＡＦＥ制御回路部Ａｍは、制御回路部２からデータを受信し（ステップＳ１）、ＥＣＣデータを用いて受信したコマンドとアドレスに間違いがないか、すなわちエラーが有るか否かをチェックする（ステップＳ２）。ＡＦＥ制御回路部Ａｍは、ステップＳ２で、エラーが有れば（ＹＥＳ）、受信データの処理を行わずに再度データを受信するためにステップＳ１に戻る。また、ステップＳ２でエラーがなければ（ＮＯ）、コマンドがＲＥＳＥＴコマンドかどうかを調べる（ステップＳ３）。ＡＦＥ制御回路部Ａｍは、ステップＳ３で、入力されたコマンドがＲＥＳＥＴコマンドであれば（ＹＥＳ）、アナログフロントエンド部ＦＥｍの各回路の設定を初期化するリセット処理を行って（ステップＳ４）、ステップＳ１に戻る。なお、ＲＥＳＥＴコマンドはすべてのアナログフロントエンド部を対象とするコマンドであることから、図４で示したアドレス部は省略されている。
【００３２】
ＡＦＥ制御回路部Ａｍは、ステップＳ３で、コマンドがＲＥＳＥＴコマンドでなければ（ＮＯ）、受信したアドレスデータがアドレス設定部Ｂｍに設定されたアドレスデータと一致するか否かのアドレスチェックを行い（ステップＳ５）、受信したアドレスデータがアドレス設定部Ｂｍに設定されたアドレスデータと一致しなければ（ＮＯ）、受信データの処理を行わずにステップＳ１に戻る。また、ＡＦＥ制御回路部Ａｍは、ステップＳ５で、受信したアドレスデータがアドレス設定部Ｂｍに設定されたアドレスデータと一致すると（ＹＥＳ）、コマンドを解析して（ステップＳ６）、該コマンドに応じた処理を行い（ステップＳ７）、その後ステップＳ１に戻る。
【００３３】
このようにして、制御回路部２は、情報を得たいＩＤタグと通信可能なアンテナユニットのアナログフロントエンド部を選択して、目的のＩＤタグと通信を行うことができる。
また、１つのアンテナユニットの通信可能範囲内に複数のＩＤタグが存在する場合は、送信クロック生成部Ｃｍの選択制御信号ＳＥを用いて、ＩＤタグとの通信に用いる搬送波の周波数を変えることによって、コリジョンの発生を防止することができる。図３のブロック図では、２通りの搬送波が選択できるようになっているが、更に分周比の異なる分周回路を追加することで選択可能な周波数を増やし、２つ以上のＩＤタグの場合にも対応することができる。
【００３４】
なお、アナログフロントエンド部ＦＥｍに含まれる回路はすべて１チップのＩＣに集積している。アナログフロントエンド部ＦＥ１〜ＦＥｎの構成は、すべて同じであることから、１つのリーダ／ライタで多くの同じアナログフロントエンド部を使用するため、ＩＣにしても量産効果を得ることができ、安価に製造することができる。また、該ＩＣは、アンテナＡＮＴａ１〜ＡＮＴａｎとやり取りするアナログ信号部分の回路をすべて含んでいることから、アンテナＡＮＴａ１〜ＡＮＴａｎの近傍に実装することでアンテナとアナログフロントエンド部との接続が短くなり、信号の減衰もなく、ノイズの放出も少なくすることができる。更に、前記ＩＣは、制御回路部２とデジタル信号のみで通信を行うことから、制御回路部２とは十分な距離を離して配置することができる。また、アナログフロントエンド部を１チップのＩＣにしたことで、該ＩＣとアンテナＡＮＴａ１〜ＡＮＴａｎとを一体構造にしても小型化することができ、その結果、対応するＩＤタグのより近くにアンテナＡＮＴａ１〜ＡＮＴａｎを配置することができる。
【００３５】
このように、本第１の実施の形態におけるリーダ／ライタは、リーダ／ライタ１側に、各ＩＤタグＩＴ１〜ＩＴｎに対応したアンテナユニットＡＵ１〜ＡＵｎをそれぞれ備え、通信を行おうとするＩＤタグに対応したアンテナユニットを選択して、目的のＩＤタグとの通信を行うようにすると共に、アンテナユニットＡＵ１〜ＡＵｎには変復調回路を含むアナログ回路部分であるアナログフロントエンド部ＦＥ１〜ＦＥｎを対応して備えるようにした。このため、リーダ／ライタの制御回路部とデジタル信号によってデータの授受が行えるようになり、制御回路部から離れた場所にアンテナユニットを配置しても、信号の減衰やノイズの放出を少なくすることができる。
【００３６】
なお、前記説明では、リーダ／ライタを例にして説明したが、本発明はこれに限定するものではなく、リーダ及び／又はライタに適用するものである。
【図面の簡単な説明】
【００３７】
【図１】本発明の第１の実施の形態におけるＩＤタグ用リーダ／ライタの構成例を示した図である。
【図２】図１のアドレス設定部の例を示した図である。
【図３】図１の送信クロック生成部の内部構成例を示したブロック図である。
【図４】制御回路部２からアナログフロントエンド部ＦＥ１〜ＦＥｎに送信されるデータフォーマット例を示した図である。
【図５】図４のコマンドの種類を示した図である。
【図６】図１のＡＦＥ制御回路部の動作例を示したフローチャートである。
【図７】従来のＩＤタグ読み取り装置の例を示した概略図である。
【符号の説明】
【００３８】
１  リーダ／ライタ
２  制御回路部
３  伝送路
２１  セレクタ
２２  分周回路
Ａ１〜Ａｎ  ＡＦＥ制御回路部
Ｂ１〜Ｂｎ  アドレス設定部
Ｃ１〜Ｃｎ  送信クロック生成部
Ｄ１〜Ｄｎ，ＥＤ１〜ＥＤｎ  変復調回路部
ＦＥ１〜ＦＥｎ  アナログフロントエンド部
ＡＮＴａ１〜ＡＮＴａｎ，ＡＮＴｂ１〜ＡＮＴｂｎ  アンテナ
ＡＵ１〜ＡＵｎ  アンテナユニット
ＩＴ１〜ＩＴｎ  ＩＤタグ
【図１】
2006172303.tif 000003
【図２】
2006172303.tif 000004
【図３】
2006172303.tif 000005
【図４】
2006172303.tif 000006
【図５】
2006172303.tif 000007
【図６】
2006172303.tif 000008
【図７】
2006172303.tif 000009